(57)【要約】【課題】  非粘着テープ（自己接着テープを含む）用のテープホルダーとして、テープの先端部の摘みと引き出しを、一連の円滑な操作で行うことができるものを提供する。【解決手段】  ホルダー本体１１の内部に、テープロール支持軸１２を設けるとともに、ホルダー本体１１の側端部に、ホルダー本体１１の内外を連通するテープガイドスリット１３と、山形に屈折してのびるテープ当接ガイド１４と、鋸刃形のテープ切断刃１５を列設し、テープガイド１４のうち、山形の屈折部のテープガイドスリット１３側（反テープ切断刃１５側）をのびる部分に、両面粘着シート片１６を付着する。【選択図】        図１
2005144614.tif 000002
【特許請求の範囲】
【請求項１】
非粘着テープロールを回転自在に支持するテープロール支持軸と、テープ支持軸から間隔をおいて設置した、非粘着テープロールから繰り出す非粘着テープを当接状態で切断するテープ切断刃と、テープ切断刃にテープロール支持軸側に隣接して設置した、非粘着テープロールから繰り出す非粘着テープを、テープ切断刃に当接状態で案内するテープ当接ガイドを備え、テープ当接ガイドの少なくとも一部に直接又は間接的に粘着剤を付着してなる、非粘着テープ用テープホルダー。
【請求項２】
テープ当接ガイドを、非粘着テープの案内方向において山形に屈折し、山形の屈折部の反テープ切断刃側に、粘着剤を付着してなる、請求項１記載の非粘着テープ用テープホルダー。
【請求項３】
粘着剤が、０．７〜２．４Ｎ／１０ｍｍの粘着力を有するものである、請求項１又は２記載の非粘着テープ用テープホルダー。
【発明の詳細な説明】
【技術分野】
【０００１】
この発明は、結束、梱包等に用いる非粘着テープ（自己接着テープを含む）用のテープホルダーに関するものである。
【背景技術】
【０００２】
テープホルダーとしては、テープロールを回転自在に支持するテープロール支持軸と、テープロール支持軸からから間隔をおいて設置した、テープロールから繰り出すテープを当接状態で切断可能なテープ切断刃と、テープ切断刃に隣接して設置した、テープロールから繰り出すテープをテープ切断刃に当接状態で案内可能なテープ当接ガイドを備え、テープロールから繰り出すテープ部を、その先端部の手（指）による摘みを介して、テープ当接ガイド及びテープ切断刃に接触しない状態で外方に引き出した後、テープ当接ガイドとテープ切断刃にそれぞれの対向部を当接して、テープ切断刃対向部をテープ切断刃で切断し、テープ切断刃を超えた外方引き出し部を切り離すものが知られている（例えば、特許文献１、特許文献２参照）。
【０００３】
この公知のテープホルダーでは、テープが粘着テープの場合には、テープ切断刃による切断後にテープの新しい先端部となる部分が、常に、その粘着性によってテープ当接ガイドやテープ切断刃に付着するので、毎回のテープの先端部の摘みと引き出しを、一連の円滑な操作で行うことができる。
【０００４】
しかしながらテープが非粘着テープの場合には、テープの切断後の新しいテープの先端部は、テープ当接ガイドやテープ切断刃に付着しないため、テープロールからのびるテープ部は、側方（横方向）やテープロール側などに移動し易く、かつこの移動により屈曲などの変形状態に陥り易いため、毎回のテープの先端部の摘みと引き出しを、一連の円滑な操作で行うことができないという問題がある。
【特許文献１】登録実用新案第２０２９６４０号公報
【特許文献２】意匠登録第１０００１５２号公報
【発明の開示】
【発明が解決しようとする課題】
【０００５】
この発明は、公知のものに認められる上記のような問題に鑑み、非粘着テープ用テープホルダーとして、粘着テープの場合と同様に、テープの先端部の摘みと引き出しを、一連の円滑な操作で行うことができるものを提供することを課題としている。
【課題を解決するための手段】
【０００６】
この発明に係る非粘着テープ用テープホルダーは、基本的には、特許請求の範囲の請求項１に記載したように、非粘着テープロールを回転自在に支持するテープロール支持軸と、テープロール支持軸から間隔をおいて設置した、非粘着テープロールから繰り出す非粘着テープを当接状態で切断可能なテープ切断刃と、テープ切断刃に隣接して設置した、非粘着テープロールから繰り出す非粘着テープをテープ切断刃に当接状態で案内可能なテープ当接ガイドを備え、テープ当接ガイドの少なくとも一部に直接又は間接的に粘着剤を付着した構成からなる。
【０００７】
この発明のテープホルダーにおいては、非粘着テープを外方に引き出した後、テープ当接ガイドとテープ切断刃に対向部を当接して、テープ切断刃対向部をテープ切断刃で切断した際、テープ当接ガイドに当接する新しい非粘着テープの先端部は、粘着剤を介してテープ当接ガイドに付着して、その摘み、引き出しを一連の円滑な操作で行うことができる形になる。
【０００８】
一般に、この発明のテープホルダーにおけるテープ当接ガイドに対する粘着剤の直接的な付着は、その表面に対する粘着剤の塗布の方式で行うことができ、間接的な付着は、その表面に対する両面粘着テープ片（シート片）の付着の方式で行うことができる。
【０００９】
この発明のテープホルダーは、テープ切断時における非粘着テープ部のテープ当接ガイドに対する的確な付着の点から、特許請求の範囲の請求項２に記載のごとく、テープ当接ガイドを非粘着テープの案内方向において山形に屈折し、山形の屈折部の反テープ切断刃側に粘着剤を付着することが望ましい。
【００１０】
またこの発明のテープホルダーにおいてテープ当接ガイドに付着する粘着剤は、非粘着テープの種類等によって、種々の感圧接着剤を使用可能であるが、非粘着テープ部の的確な着脱、すなわち堅実な付着と容易な離脱（剥離）の点から、なるべくは、特許請求の範囲の請求項３に記載のごとく、粘着力が０．４〜３．０Ｎ／１０ｍｍ、特に０．７〜２．４Ｎ／１０ｍｍのものを用いることが望ましいことを確認した。
【発明の効果】
【００１１】
請求項１に記したこの発明に係る非粘着テープ用テープホルダーによれば、外方に引き出した非粘着テープを、テープ切断刃対向位置でテープ切断刃により切断した際には、常に、非粘着テープの新しい先端部が、テープ当接ガイド上の粘着剤によって該テープ当接ガイドに付着するので、毎回の非粘着テープの先端部の掴みと引き出し操作を、一連の円滑な操作で行うことができる。
【００１２】
また請求項２に記載のこの発明のテープホルダーにおけるテープ当接ガイドの山形の屈折構成と反テープ切断刃側への粘着剤付着構成によれば、非粘着テープのテープ当接ガイドにおける付着及びテープ切断刃における切断を的確に行うことができるとともに、テープ当接ガイドのテープ切断刃に対向する非粘着テープの最先端部は、テープ当接ガイドに付着せず、フリーとなるので、該最先端部の摘みを容易に行うことができる。
【００１３】
さらに請求項３に記載のこのテープホルダーにおけるテープ当接ガイドに付着の粘着剤の粘着力の構成によれば、非粘着テープ部を堅実に付着するとともに容易に剥離することができる。
【発明を実施するための最良の形態】
【００１４】
以下図面に基づいて、この発明に係る非粘着テープ用テープホルダーの実施形態について説明する。
【００１５】
図示したテープホルダーは、非粘着テープロール１８を収納可能な開放ケース状のホルダー本体１１の開放部を、着脱自在なプレート状カバー１７を介して閉鎖したケース型で、ホルダー本体１１の内部にテープロール支持軸１２を設けるとともに、ホルダー本体１１の側端部に、ホルダー本体１１の内外を連通するテープガイドスリット１３と、山形に屈折してのびるテープ当接ガイド１４と、鋸刃形のテープ切断刃１５を列設し、かつテープ当接ガイド１４のうち、山形の屈折部のテープガイドスリット１３側（反テープ切断刃側）をのびる部分に両面粘着シート片１６を付着した構造からなっている。
【００１６】
このテープホルダーでは、テープロール支持軸１２に回転自在に支持した非粘着テープロール１８からテープガイドスリット１３を通して外方に引き出した非粘着テープ１９を、テープ当接ガイドとテープ切断刃１５にその対向部を当接した状態で、テープ切断刃１５対向部を切断した際には、新しい非粘着テープ１９の先端部は、常に、テープスリットガイド１３側のテープ当接ガイド１４に付着した両面粘着シート片１６の表面の粘着剤に付着するので、毎回の非粘着テープ１９の先端部の摘みと引き出しを、一連の円滑な操作で行うことができる。
【００１７】
この発明の非粘着テープ用テープホルダーは、このほか、種々の形態で実施することができるもので、上記の形態に限定されるものでないことは勿論である。
【図面の簡単な説明】
【００１８】
【図１】この発明に係る非粘着テープ用テープホルダーの一実施形態のカバーを取外した状態の側面図である。
【図２】図１に示す実施形態の正面図である。
【符号の説明】
【００１９】
１１  ホルダー本体
１２  テープロール支持軸
１３  テープガイドスリット
１４  テープ当接ガイド
１５  テープ切断刃
１６  両面粘着テープ片
１７  カバー
１８  非粘着テープロール
１９  非粘着テープ
【図１】
2005144614.tif 000003
【図２】
2005144614.tif 000004